(57)【特許請求の範囲】
【請求項１】
各種のデータから所定の数値を取得して表示装置にグラフを作成するグラフ作成装置であって、
前記グラフ作成装置の制御装置は、入力装置からグラフ作成の指示を受け付けると、
グラフ表示領域と操作領域とを備えたグラフ表示画面を前記表示装置に表示し、
前記グラフ表示領域に、複数の対象物と、この対象物の数値をＸ軸とＹ軸で示したグラフを生成し、
前記入力装置から部分省略グラフの指示を受け付けると、前記数値を示すＸ軸またはＹ軸の一方の下限側に空白領域を設定し、
前記数値の最大値と最小値の範囲の拡大は、２段階によって行われ、
前記制御装置は、第１段階として、前記最大値を基点とする拡大を行い、前記最大値と最小値の拡大中間位置が、前記下限側の空白領域の上部と、数値を示すＸ軸またはＹ軸の方向の目盛の最高位置との間のグラフ中間位置に至った以降は、このグラフ中間位置を中心に前記最大値と最小値を拡大する
ことを特徴とするグラフ作成装置。
【請求項２】
前記請求項１記載のグラフ作成装置において、
前記操作領域に拡大率を設定するスクロールバーを備え、
前記スクロールバーは、数値を示すＸ軸またはＹ軸の一方と平行に配置される移動範囲バーと、この移動範囲バー上を移動する操作ボタンとから成り、
前記移動範囲バーには、数値を示すＸ軸またはＹ軸の方向に対して拡大率が設定されており、
前記制御装置は、前記移動範囲バー上の操作ボタンの位置に対応して拡大率を設定する
ことを特徴とするグラフ作成装置。
【請求項３】
各種のデータから所定の数値を取得して表示装置にグラフを作成するグラフ作成方法であって、
入力装置からグラフ作成の指示を受け付けて、グラフ表示領域と操作領域とを備えたグラフ表示画面を前記表示装置に表示するステップと、
前記グラフ表示領域に、複数の対象物と、この対象物の数値をＸ軸とＹ軸で示したグラフを生成するステップと、
前記入力装置から部分省略グラフの指示を受け付けると、前記数値を示すＸ軸またはＹ軸の一方の下限側に空白領域を設定するステップと、
前記最大値と最小値の範囲の拡大は、２段階によって行われ、
第１段階として、前記最大値を基点とする拡大を行い、前記最大値と最小値の拡大中間位置が、前記下限側の空白領域の上部と、数値を示すＸ軸またはＹ軸の方向の目盛の最高位置との間のグラフ中間位置に至った以降は、このグラフ中間位置を中心に前記最大値と最小値を拡大する
ことを特徴とするグラフ作成方法。
【請求項４】
前記請求項３記載のグラフ作成方法において、
前記操作領域に拡大率を設定するスクロールバーを備え、
前記スクロールバーは、数値を示すＸ軸またはＹ軸の一方と平行に配置される移動範囲バーと、この移動範囲バー上を移動する操作ボタンとから成り、
前記移動範囲バーには、数値を示すＸ軸またはＹ軸の方向に対して拡大率が設定されており、
前記移動範囲バー上の操作ボタンの位置に対応して拡大率を設定する
ことを特徴とするグラフ作成方法。
【発明の詳細な説明】
【技術分野】
【０００１】
本発明は、各種のデータから所定の数値を取得して表示装置にグラフを作成するグラフ作成装置及びグラフ作成方法に関する。
【背景技術】
【０００２】
従来、情報処理装置に採用される表計算ソフトにおいては、ワークシートと呼ばれる表を作成し、グラフを作成したい範囲のセルを前記表から指定すると、棒グラフや円グラフ等のグラフを簡単に作成することができる。これらグラフは、表に比べて数値で表される状況が視覚を通じて分かりやすいために、各種の資料や講演資料に頻繁に使われている。
【０００３】
一方、同種のグラフ作成手法は、複数のセンサから取得したデータを記録しながら監視する監視装置でも状況を把握するために広く利用されている。例えば、工場の生産ラインの稼働状況を監視装置の表示画面にグラフで表示したり、あるいは、ビル空調の監視装置やリーモートコントローラの表示画面に各部屋の消費電力量などのグラフを表示して監視することなどが広く行われている。
【先行技術文献】
【特許文献】
【０００４】
【特許文献１】特開２００１−２５００７８号公報
【特許文献２】特開２００５−１６８６１１号公報
【発明の概要】
【発明が解決しようとする課題】
【０００５】
グラフの表現方法は、円グラフや棒グラフ、あるいは折れ線グラフやレーダグラフなど多くの表現がある。最近の情報処理装置におけるグラフの作成装置では、これら多くのグラフの表現を自動生成可能にしているが、部分的に省略されたグラフなどまでは提案されていない。
【０００６】
例えば、複数の製造ラインの２つの数値量を比較したい場合に、図９の(a)図のような、横軸Xに複数の製造ラインの２つの数値名を示し、縦軸Yにこの２つの数値名の数値量を示した棒グラフが利用される。しかし、各製造ラインの数値量が総数量に対する差が少ない場合、この(a)図では、差がどのくらいあるのかがよくわからない場合が生じる。そこで、（ｂ）図に示すように、(a)図の下部を省略して上部を大きく表現した部分省略の棒グラフが使われる。
【０００７】
しかし、現在提案されているグラフ作成装置では、(a)図の標準的なグラフは作成できるとしても、（ｂ）図のような、一部分を省略したグラフを自動生成するものは提案されていない。  このため、（ｂ）図に示すグラフを作成する場合は、利用者が図形作成ソフトを基に製作しているのが現状である。特に、この部分的に省略されたグラフは、メモリの配分から、配分されたメモリに対する数値を合わせたグラフを作成しなければならないため、作成には多くの時間がかかり、しかも見栄え良く作成できないなどの課題がある。
【０００８】
そこで、この発明の目的とするところは、X軸とＹ軸の２軸に、複数の対象物と、この対象物の数値量を示して構成されるグラフの部分省略グラフを自動生成するグラフ作成装置とグラフ作成方法を提案することにある。
【課題を解決するための手段】
【０００９】
本発明に係るグラフ作成装置とグラフ作成方法は、前記目的を達成するために、各種のデータから所定の数値を取得して表示装置にグラフを作成するグラフ作成装置であって、前記グラフ作成装置の制御装置は、入力装置からグラフ作成の指示を受け付けると、グラフ表示領域と操作領域とを備えたグラフ表示画面を前記表示装置に表示し、前記グラフ表示領域に、複数の対象物と、この対象物の数値をＸ軸とＹ軸で示したグラフを生成し、前記入力装置から部分省略グラフの指示を受け付けると、前記数値を示すＸ軸またはＹ軸の一方の下限側に空白領域を設定し、前記数値の最大値と最小値の範囲の拡大は、２段階によって行われ、前記制御装置は、第１段階として、前記最大値を基点とする拡大を行い、前記最大値と最小値の拡大中間位置が、前記下限側の空白領域の上部と、数値を示すＸ軸またはＹ軸の方向の目盛の最高位置との間のグラフ中間位置に至った以降は、このグラフ中間位置を中心に前記最大値と最小値を拡大する。
【発明の効果】
【００１０】
本発明によれば、数値を示すＸ軸またはＹ軸の一方の下限側に空白領域を備え、上限側に数値の最大値と最小値の範囲が拡大された部分省略グラフを作成することができる。
【図面の簡単な説明】
【００１１】
【図１】本発明に係る監視システムの概略構成図である。
【図２】本発明に係る監視システムの動作フロー図である。
【図３】本発明に係る監視システムの画面遷移図である。
【図４】本発明に係る監視システムの画面遷移図である。
【図５】本発明に係る監視システムの画面遷移図である。
【図６】本発明に係る監視システムの画面遷移図である。
【図７】本発明に係る監視システムの画面遷移図である。
【図８】本発明に係る監視システムの画面遷移図である。
【図９】従来のグラフ図である。
【発明を実施するための形態】
【００１２】
以下、図１から図８を参照して、この発明に係るグラフ作成装置を具体的に説明する。なお、以下の説明では、この発明に係るグラフ作成装置を製造ラインなどの監視システムに適用した事例で説明する。しかし、この発明は、この製造ラインなどの監視システムに限定したものではなく、極一般的なパーソナルコンピュータや携帯端末、あるいはネットワーク上にサイトを開設して各種の情報を提供するネットワークサーバなどにも適用することができる。また、この実施例に係る動作フローのプログラムは、ネットワーク上に開設したサーバからダウンロードしたり、あるいは、これらの動作フローのプログラムを格納した記録媒体から情報処理装置にダウンロードすることができる。
【００１３】
ここで、図１は、この発明に係る監視システムの概略構成図である。図２は監視システムの動作フロー図である。図３から図８は画面遷移図である。なお、図１及び図３から図８に示される画面図の右側のＡ、Ｂなどの符号や矢印は説明のために示したものであって、実際の表示画面には表示されない。
【００１４】
先ず、図１を参照して、この実施例に係る監視システムの概略構成を説明する。図１において、この監視システムは、製造ラインの各所に設置される複数のセンサからデータを収集する製造ラインシステム５０と、この製造ラインシステム５０とネットワーク１０を介して接続され、取得したデータを分析して製造ラインの監視を行う監視装置２０とを含んで構成される。
【００１５】
製造ラインシステム５０は、製造ラインの各所に設置される複数のセンサ５１を記憶装置５２のデータベースに格納するライン制御部５３と、このライン制御部５３と監視装置２０との送受信をネットワーク１０を介して行うライン通信装置５４とを含んで構成される。ここで、ライン制御部５３は、製造ラインシステム５０を統括的に制御する。
【００１６】
監視装置２０は、極一般的なパーソナルコンピュータシステムで構成することができる。例えば、この実施例では、この監視装置２０を統括的に制御する制御装置２１と、各種のデータベースを格納する記憶装置２２と、マウスやキーボードからなる入力装置２３と、プリンタ２４と、表示装置２５と、通信装置２６を含んで構成される。
【００１７】
この実施例に係る制御装置２１は、ネットワーク１０を介して、製造ラインシステム５０からデータを取得し、このデータを基に、各種のデータベースを構築して記憶装置に２２に格納し、この構築したデータを表示装置２５に表示する図示しない監視画面にグラフ形式で表示して、この監視画面を基に製造ラインシステム５０を監視することができる。
【００１８】
そして、この監視システムの大きな特徴の１つは、部分省略グラフ２００ｂを表示することができるグラフ表示画面１００を備えた点にある。
【００１９】
即ち、このグラフ表示画面１００は、グラフ表示領域１１０と、このグラフ作成領域１１０の片側に配置される操作領域１２０とが左右に並べて配置されている。制御装置２１は、図示しないグラフ指定画面において、グラフを作成するデータと、グラフの種類を選択する操作が行われると、グラフ表示画面１００を表示装置２５に表示する。
【００２０】
この実施例では、グラフ表示領域１１０に指定されたグラフの種類でグラフを作成し、操作領域１２０にはグラフの種類に対応した各種の操作ボタン群１５０を表示する。図１では、棒グラフを表示したグラフ表示画面１００を示している。
【００２１】
そして、この実施例では、Ｘ軸またはＹ軸の一方に複数の対象物１１１、この対象物１１１の数値量を他方のＸ軸またはＹ軸に示して構成されるグラフ、例えば棒グラフや折れ線グラフを部分省略グラフで生成することができる。
【００２２】
即ち、制御装置２１はグラフ表示画面１００の操作指示を受け付けると、標準グラフ２００ａを生成して、この標準グラフ２００ａをグラフ表示領域１１０に表示したグラフ表示画面１００を表示装置２５に表示する。グラフ表示画面１００には、操作ボタン群１５０を構成するスクロールバー１５１を設けられている。制御装置２１は、この操作スクロールバー１５１の操作を受け付けると、表示装置２５内に示した標準グラフ２００ａから吹き出し内に示した部分省略グラフ２００ｂに切り替える。
【００２３】
操作スクロールバー１５１は、操作ボタン１５２と、この操作ボタン１５２の移動範囲を示す移動範囲バー１５３とから構成され、制御装置２１は、操作ボタン１５２が操作されると前記切り替え動作を実行する。
【００２４】
部分省略グラフ２００ｂは、対象物１１１の数値量を示すＸ軸またはＹ軸（この実施例ではＹ軸）の、メモリの下位の所定の範囲Ｌ９にグラフを表示しない空白の帯部２０１が設けられる。利用者は、この帯部２０１が表示されることにより、部分省略グラフ２００ｂであることを理解することができる。
【００２５】
また、この監視システムの大きな特徴の１つは、グラフの注目すべき部分を任意の大きさで拡大操作できるグラフ表示画面１００を備えた点にある。
【００２６】
即ち、部分省略グラフ２００ｂが必要な場合は、例えば、図１の例のように、各対象物１１１の数値量が「８００」前後に集中して、互いの数値量の差が総数量「８００」に対する差が少ない場合である。このような場合、総数量「８００」に対して何処まで省略して、どの部分を拡大して作成してよいかが難しい課題となる。
【００２７】
そこで、この発明者らは、利用者が部分省略グラフ２００ｂを作成したい目的は、各対象物１１１の数値量の差を確認したい点であることに着目して、この数値量の最大値Ａと最小値Ｂの範囲Ｌ１を拡大する範囲とし、何処まで省略するかは、拡大率を自由に設定する方法を取ることで前記課題を解決した。
【００２８】
また、注目される範囲Ｌ１を拡大する場合、範囲Ｌ１を無造作に拡大すると、利用者に混乱を生じさせたり、あるいは視認性が悪くなる課題がある。更に、拡大操作を複雑にすると、操作に注意がそがれて注目点である範囲Ｌ１の確認が疎かになる課題もある。
【００２９】
そこで、この発明者らは、２段階で拡大表示を行うことを発想した。つまり、第１段では、利用者が拡大表示しようとしている視線が範囲Ｌ１にある点に着目し、数値量の最大値Ａを基点に最小値Ｂを数値量の「０」方向に伸ばして拡大させる。この拡大操作によれば、利用者の目線が大きく移動しないので、利用者に混乱を起こさせたり、視認性がわるくなることを軽減することができる。
【００３０】
しかし、数値量の最大値Ａを基点に最小値Ｂを数値量の「０」方向に伸ばして拡大させると、最大値Ａの上部に設定されている上部空間Ｌ２０を拡大する領域として活用することができない。
【００３１】
一般に、Ｘ軸とＹ軸を備えたグラフでは、最大値Ａの視認性を向上させるために、その上部に上部空間Ｌ２０を形成するように、目盛が設定されて、グラフを作成する。このため、最大値Ａを基点に最小値Ｂを数値量の「０」方向に伸ばして拡大させると、上部空間Ｌ２０がデッドスペースとなる。
【００３２】
そこで、この発明者らは、第１段で、数値量の最大値Ａを基点に最小値Ｂを数値量の「０」方向に伸ばして所定の大きさに拡大させ、第２段では、範囲Ｌ１の中心Ｃを基点に最大値Ａを増加方向、最小値Ｂを「０」方向に拡大させるようした。
【００３３】
具体的には、Ｙ軸方向の帯部２０１の上部Ｆ点とグラフ表示領域１１０の最上部（目盛の最上部）Ｄ点の長さＬ５を等分した位置にＥ点を設定する。また、最大値Ａと最小値Ｂの範囲Ｌ１を等分した位置にＣ点を設定する。そして、第１段の拡大動作はＣ点がＥ点まで至る範囲とし、図１の吹き出し内に示すように、Ｃ点がＥ点に至ると、今度は、第２段の動作として、Ｃ点を中心に最大値Ａと最小値Ｂを上下方向に伸ばして拡大動作させるようにした。
【００３４】
これにより、最初にグラフの上方にあった利用者の目線を第１段で中央寄りに移動させ、第２段では、この中央を基点に上下方向に拡大させるので、利用者の目線移動が少なくなるので、利用者に混乱を起こさせたり、視認性がわるくなることを軽減することができる。
【００３５】
一方、本発明者らは、範囲Ｌ１の拡大動作がＹ軸方向である点に着目し、このＹ軸方向に操作ボタン１５２を移動させるスクロールバー１５１を採用した。クロールバー１５１を構成する移動範囲バー１５３は、拡大方向に向かって徐々に幅が広くなる三角形状とすることで、操作ボタン１５２を幅広方向に移動させる動作が、拡大操作であることを一目で理解させることができるので、誤操作を軽減することができる。しかも、操作ボタン１５２にカーソルを合わせて、移動させる操作にともなって、標準グラフ２００ａから帯部２０１が出現する部分省略グラフ２００ｂに切り替わり、しかも徐々に範囲Ｌ１が拡大されるので、操作が簡単となる。
【００３６】
以下、図２の動作フローを基に、図１と図３から図８を参照しながら、更に、この特徴的な部分省略グラフの表示方法を具体的に説明する。
【００３７】
先ず、制御装置２１は、図示しないグラフ指定画面において、グラフを作成するデータと、グラフの種類を選択する操作が行われると、図３に示すグラフ表示画面１００を表示装置２５に表示する（ステップ３１０）。この実施例では棒グラフが指定された状態を示している。そして、制御装置２１は、グラフ表示画面１００を表示すると、スクロールバー１５１の操作ボタン１５２が操作されたか否かを監視している（ステップ３１０）。
【００３８】
ここで、図３から図６において、目盛の横に拡大領域１５４がバー形式で表示される。この拡大領域１５４は、範囲Ｌ１の領域を示すものであり、範囲Ｌ１の拡大や縮小に伴って、拡大領域１５４も拡大や縮小する。
【００３９】
また、この実施例では、操作ボタン１５２が、図３に示すように、移動範囲バー１５３の一端（下端）Ｐ１に位置する時は、グラフ表示領域１１０に標準グラフ２００ａを表示し、操作ボタン１５２が、図５に示すように、移動範囲バー１５３の他端（上端）Ｐ３に位置する時は、グラフ表示領域１１０に、範囲Ｌ１を最大に拡大した部分省略グラフ２００ｂを表示する。
【００４０】
そして、範囲Ｌ１は、図４に示すように、Ｃ点がＥ点に到達したか否かで、範囲Ｌ１の拡大、縮小方向を変化させる。つまり、図４に示す、操作ボタン１５２の位置であるＰ２点を基点に、下段が第１段の拡張と縮小、上段が第２段の拡張と縮小を行うように設定している。更に、範囲Ｌ１の倍率は、移動範囲バー１５３上の操作ボタン１５２の位置で設定される。したがって、操作ボタン１５２の位置が早く移動すれば、範囲Ｌ１の拡大、縮小を早く行うことができる。
【００４１】
そこで、制御装置２１は、移動範囲バー１５３上の操作ボタン１５２の位置で範囲Ｌ１の拡大、縮小動作を制御する。
【００４２】
つまり、制御装置２１は、操作ボタン１５２がＰ２点を越えたか否かを判定する（ステップ３２０）。操作ボタン１５２がＰ２点を超えていなければ、操作ボタン１５２の移動範囲バー１５３の位置を判定し、この位置に割り当てられる倍率で範囲Ｌ１を拡大し、この拡大した図形を、最大値Ａを基点として部分省略グラフ２００ｂを生成する（ステップ３２５）。
【００４３】
一方、操作ボタン１５２がＰ２点を超えていれば、操作ボタン１５２の移動範囲バー１５３の位置を判定し、この位置に割り当てられる倍率で範囲Ｌ１を拡大し、この拡大した図形を、Ｅ点を基点として部分省略グラフ２００ｂを生成し（ステップ３３５）、ステップ３１５に移行する。
【００４４】
また、ステップ３２５で、第１段階のグラフを生成して表示している状態から、操作ボタン１５２がＰ１の位置、つまり、標準グラフ２００ａの位置であるかを判定する（ステップ３３０）。このステップ３３０で、操作ボタン１５２がＰ１の位置でなければステップ３１５に移行させ、操作ボタン１５２がＰ１の位置であれば、部分省略グラフ２００ｂを標準グラフ２００ａに切り替えて（ステップ３３５）、処理を終了する。
【００４５】
このように、この実施例では、スクロールバー１５１を操作することにより、グラフ表示領域１１０の標準グラフ２００ａを部分省略グラフ２００ｂに切り替えることができる。しかも、部分省略グラフ２００ｂで拡大する範囲Ｌの倍率を、操作ボタン１５２を移動させるだけで、簡単に拡大と縮小を行うことができる。また、現在、拡大されている範囲は、拡大領域１５４で示される。
【００４６】
次に、図６と図７を参照して、この実施例の第２モードの部分省略グラフ２００ｃを説明する。
【００４７】
図６において、前記図１から図５の標準グラフ２００ａでは、対象物１１１の全ての値が「８００」前後で、その差が小さい例で説明した。しかし、良くある例として、例えば図６に示すように、１つの対象物１１１だけ特異な値Ｑが小さく、他の対象物１１１の値は、殆ど差がない事例が起こる。このような事例の場合、最大値Ａと特異な値Ｑを拡大する範囲に設定すると、拡大幅が小さくなるため、その効果が出にくくなる。
【００４８】
そこで、この実施例では、特異な値Ｑだけ切り離して、残った対象物１１１の値の最大値Ａと最小値Ｂで前記図１から図５で説明した第１のモードと同様な手法で拡大を行うことができる第２モードを備えている。この実施例では、操作ボタン群１５０を構成するモード切替ボタン１５５を操作することで、グラフ表示領域１１０に第２モードの部分省略グラフ２００ｃを表示することができる。
【００４９】
以下の説明では、第１モードと異なる点を中心に説明する。
【００５０】
先ず、制御装置２１は、特異な値Ｑを含む最大値と最小値を示す拡大範囲１５４ｂと、特異な値Ｑを除いた最大値Ａと最小値Ｂを示す拡大範囲１５４ａとを表示する。この拡大領域１５４は選択ボタンを兼用しており、拡大領域１５４ａを選択すれば、以下に説明する図７の部分省略グラフ２００ｃを表示し、拡大領域１５４ｂを操作すれば、最大値Ａと特異な値Ｑの範囲を拡大領域として図１から図５で説明した部分省略グラフ２００ｂを表示する。
【００５１】
拡大範囲１５４ａを選択すると、グラフ表示領域１１０の下部に２本の第１帯部２０１ａ、第２帯部２０１ｂで挟まれた特異点表示領域２０２が表示される。つまり、縦軸（Ｙ軸）の最下部に第１モードと同様な第１帯部２０１ａを設定するＧ２点が設定され、このＧ２点の上に特異な値Ｑを表示する特異点表示領域２０２を設定するＦ２点が設定され、このＦ２点の上に、第２帯部２０１ａを設定するＦ点が設定される。
【００５２】
この第２モードの部分省略グラフ２００ｃは、Ｆ点から上部に設定されるＤ点、Ｅ点及び最大値Ａと最小値Ｂなどは第１モードと同じ設定となる。
【００５３】
この第２モードでは、図７に示すように、グラフ表示領域１１０の下部に、２本の帯部（第１帯部２０１ａ、第２帯部２０１ｂ）の間に特異な値Ｑを示す以外は、Ｆ点からＤ点の間の変化は、第１モードと同様に表示される。
【００５４】
ここで、Ｙ軸の「０」の値を示すＧ点とＧ２点の間の長さＬ９と、Ｇ２点とＦ２点の間の長さＬ３０と、Ｆ２点とＦ点との間の長さＬ４０表示装置２５のドット数にもよるが、それぞれＧ点からＤ点の１／１０程度の長さを備えるように設定する。
【００５５】
次に、図８を参照して、この実施例の第３モードの部分省略グラフ２００ｄを説明する。この第３モードの特徴は、例えば、図８に示すように、目標値「１０００」を残した状態で、注目部分を拡大表示したい場合に利用するものである。
【００５６】
この第３モードでは、第３モードボタン１５６を操作領域１２０に設け、この第３モードボタン１５６を操作することにより、（ｂ）図に示すように、グラフ表示領域１１０の上部に目標値「１０００」を残して第３帯部２０１ｃが表示される。
【００５７】
具体的には、グラフ表示領域１１０の最上部の目盛の位置にＤ１点が設定され、このＤ１点の下に第３帯部２０１ｃを表示するための長さＬ１０を規定するＤ点が設定される。そして、Ｄから下のＧ点までは、第１モードと、第２モードの設定と同じとなる。したがって、この第３モードは、部分省略グラフ２００ｂと部分省略グラフ２００ｃの何れでも適用できる。
【符号の説明】
【００５８】
１０…ネットワーク、２０…監視装置、２１…制御装置、２２…記憶装置、２３…入力装置、２４…プリンタ、２５…表示装置、２６…通信装置、５０…製造ラインシステム、５１…センサ、５２…記憶装置、５３…ライン制御部、５４…ライン通信装置、１００…グラフ表示画面、１１１…対象物、１１０…グラフ表示領域、１２０…操作領域、１５０…操作ボタン群、１５１…スクロールバー、１５２…操作ボタン、１５３…移動範囲バー、１５４、１５４ａ、１５４ｂ…拡大領域、１５５…モード切替ボタン、１５６…第３モードボタン、２００ａ…標準グラフ、２００ｂ…部分省略グラフ、２００ｃ…部分省略グラフ、２００ｄ…部分省略グラフ、２０１…帯部、２０１ａ…第１帯部、２０１ｂ…第２帯部、２０１ｃ…第２帯部、Ａ…最大値、Ｂ…最小値、Ｑ…特異な値、Ｌ１…範囲、Ｌ２０…上部空間
【図１】
0005663363.tif 000002
【図２】
0005663363.tif 000003
【図３】
0005663363.tif 000004
【図４】
0005663363.tif 000005
【図５】
0005663363.tif 000006
【図６】
0005663363.tif 000007
【図７】
0005663363.tif 000008
【図８】
0005663363.tif 000009
【図９】
0005663363.tif 000010